(57)【特許請求の範囲】
【請求項１】
メッセージデータを送信する送信手段と、
メッセージデータを受信する受信手段と、
上記送信手段により送信したメッセージデータを記憶するメッセージ記憶手段と、
上記受信手段によりメッセージデータを受信した際は、そのメッセージデータに返信識別情報が付加されているか否かを判別する判別手段と、
上記判別手段で返信識別情報が付加されていると判別された際に、当該受信したメッセージデータと同一メッセージのメッセージデータを上記メッセージ記憶手段から読出し、その双方のメッセージデータ内容を比較照合する比較照合手段と、
この比較照合手段での照合結果により、上記受信したメッセージデータ内容の中で上記送信したメッセージデータ内容とは異なる部分を他の部分とは異なる表示態様で区分表示する表示手段と
を具備したことを特徴とするデータ通信装置。
【請求項２】
メッセージデータを送信するステップと、
メッセージデータを受信するステップと、
上記送信したメッセージデータを記憶するステップと、
上記メッセージデータを受信した際は、そのメッセージデータに返信識別情報が付加されているか否かを判別するステップと、
上記判別で返信識別情報が付加されていると判別された際に、当該受信したメッセージデータと同一メッセージのメッセージデータを上記メッセージ記憶手段から読出し、その双方のメッセージデータ内容を比較照合するステップと、
上記比較照合結果により、上記受信したメッセージデータ内容の中で上記送信したメッセージデータ内容とは異なる部分を他の部分とは異なる表示態様で区分表示するステップと
を有したことを特徴とするメッセージデータ表示方法。
【発明の詳細な説明】
【０００１】
【発明の属する技術分野】
本発明は、例えばメッセージデータの送受を行なう双方向ページング受信機に適用されるデータ通信装置及びメッセージデータ表示方法に関する。
【０００２】
【従来の技術】
従来より一般に行なわれているページングサービスでは、呼出しを行なう者（以下「発呼者」と称する）が呼出番号にメッセージデータを付加して一方的にメッセージの送信を行なうようになっていた。
【０００３】
これに対し、近時は呼出しを受けた者（以下「返答者」と称する）が受信したメッセージデータに対してなんらかの修正や返答を加えた上で、その修正等を加えたメッセージデータを例えばダイヤルトーン信号に変換し、電話回線網を介して発呼者に返信することが可能な双方向ページング受信機が開発されている。
【０００４】
【発明が解決しようとする課題】
しかしながら、この種の双方向ページング受信機では、発呼者が返答者からのメッセージデータの返信を受けた場合、受けたメッセージデータを見ても、どこに修正、返答が加えられているのか、始めに送信したメッセージデータとどこが変っているのかが判りにくく、発呼者は始めに送信したメッセージデータの内容を覚えておくか、あるいは始めに送信したメッセージデータと返答者からのメッセージデータとを照らし合わせてみなければならないという不具合があった。
【０００５】
本発明は上記のような実情に鑑みてなされたもので、その目的とするところは、返信されてきたメッセージデータ中のどこが修正されているのかを一目で確認することが可能なデータ通信装置及びメッセージデータ表示方法を提供することにある。
【０００６】
【課題を解決するための手段】
この発明は、メッセージデータを送信する送信手段と、メッセージデータを受信する受信手段と、上記送信手段により送信したメッセージデータを記憶するメッセージ記憶手段と、上記受信手段によりメッセージデータを受信した際は、そのメッセージデータに返信識別情報が付加されているか否かを判別する判別手段と、上記判別手段で返信識別情報が付加されていると判別された際に、当該受信したメッセージデータと同一メッセージのメッセージデータを上記メッセージ記憶手段から読出し、その双方のメッセージデータ内容を比較照合する比較照合手段と、この比較照合手段での照合結果により、上記受信したメッセージデータ内容の中で上記送信したメッセージデータ内容とは異なる部分を他の部分とは異なる表示態様で区分表示する表示手段とを具備したことを特徴とする。
【０００７】
このような構成とすることで、返信されてきたメッセージデータ中の修正部分は他の部分とは異なる表示態様で表示されるため、修正部分を一目で確認することができる。
【００１０】
【発明の実施の形態】
以下本発明をＤＴＭＦ信号（Ｄｕａｌ  Ｔｏｎｅ  Ｍｕｌｔｉ  Ｆｒｅｑｕｅｎｃｙ：プッシュボタンによるダイヤルトーン信号）を出力するダイヤル機能を有するダイヤラー機能付ページング受信機に適用した場合の実施の一形態について図面を参照して説明する。
【００１１】
図１はこのページング受信機１を用いたシステム全体の構成を例示するもので、１ａは呼出しを行なおうとしている発呼者側のページング受信機（図では「端末」と示す）である。このページング受信機１ａのスピーカ部を電話機２の送話器に当接して、予め入力した呼出番号とメッセージデータとによるＤＴＭＦ信号を送信することにより、この呼出番号を含む送信データが電話回線網３を介してページングサービス会社４に送られる。
【００１２】
ページングサービス会社４では、この送信データを他の送信データと共に複数の無線基地局５より送信させることで、呼出番号に対応する他のページング受信機１ｂに呼出しがなされるようになっている。
【００１３】
呼出しを受けた返答者側のページング受信機１ｂは、受信したメッセージデータに修正を加えた上で、その修正したメッセージデータを上記ページング受信機１ａが呼出しを行なった場合と同様に最寄りの電話機２よりＤＴＭＦ信号でページング受信機１ａに対して返信するものである。
【００１４】
図２は上記ページング受信機１（１ａ，１ｂ）内に設けられる電子回路の構成を示すものである。同図で１１はアンテナであり、このアンテナ１１で受信されたメッセ―ジデータを含む呼出しの電波は受信部１２に送られる。この受信部１２は、デコ―ダ部１３の駆動により間欠受信を行なうもので、受信電波を増幅、復調してデコ―ダ部１３に送出する。デコ―ダ部１３では、復調した信号を解読し、当該ページング受信機に個別に割当てられたＩＤコード、詳細にはフレームデータやアドレスデータ等を記憶したＩＤ−ＲＯＭ１４を参照して呼出された番号が自己の認識番号と一致するか否かを判断し、一致した場合には一致検出信号及び続いて受信されるメッセ―ジデータを制御部１５に送る。
【００１５】
この制御部１５は、ＣＰＵで構成され、デコ―ダ部１３からの信号、ダイアルキーとその他の各種キーからなるキー入力部１６からの入力信号、及びペン入力部１７からの後述するカラー表示部３１上での筆記動作によるペン入力信号に応じて他の回路全体の動作制御を行なうもので、受信したメッセージデータや自機で入力したメッセージデータ等を記憶するメッセージデータ記憶用のＲＡＭ１８、指示に応じてＤＴＭＦ信号を発生するＤＴＭＦ信号発生部１９、このＤＴＭＦ信号発生部１９で発生させるＤＴＭＦ信号のコードをバッファ記憶するダイヤラバッファ２０、呼出しを受けたことを音で知らせる鳴音信号を発生する鳴音信号発生部２１、呼出しを受けたことを光で知らせる点滅パターン信号を発生する点滅パターン信号発生部２２、表示する文字のコードに対応したキャラクタパターンデータを格納しているキャラクタジェネレータ（ＣＧ）２３、及び表示するデータをバッファ記憶する表示バッファ２４と接続されている。
【００１６】
上記ＤＴＭＦ信号発生部１９は、制御部１５の制御の下に制御部１５から送られてきた送信データがセットされるダイヤラバッファ２０に信号を送り、このダイヤラバッファ２０から送信データを順次取込んでその送信データに対応する「１」〜「０」，「＊」，「＃」等の各ＤＴＭＦ信号を発生するもので、発生されたＤＴＭＦ信号はアンプ２５で増幅された後にスピーカ２６から拡声出力される。
【００１７】
鳴音信号発生部２１は、呼出しを受けた場合に制御部１５からの制御に基づいて鳴音信号を発生するもので、発生した鳴音信号はアンプ２７で増幅された後にスピーカ２８より拡声出力され、呼出し状態が報知される。
【００１８】
また点滅パターン信号発生部２２は、呼出しを受けた場合に制御部１５からの制御に基づいて点滅パターン信号を発生するもので、発生した点滅パターン信号はアンプ２９で増幅された後にＬＥＤ３０を発光駆動して呼出し状態が光の点滅パターンで報知する。
【００１９】
上記表示バッファ２４は、制御部１５からのカラーコードを含む制御指示に従ってキャラクタジェネレータ２３から読出されてくるキャラクタパターンデータを順次記憶し、その記憶内容をカラー表示部３１に出力する。
【００２０】
カラー表示部３１は、例えばカラー液晶パネルとその駆動回路で構成され、表示バッファ２４から送られてくるメッセージデータ等の表示データをカラー画像として表示出力するもので、上記キー入力部１６での筆記動作によるペン入力でその入力軌跡等をも表示する。
【００２１】
次いで上記実施の形態の第１の動作例について図３及び図４を用いて説明する。
図３は発呼者側であるページング受信機１ａから返答者側のページング受信機１ｂに対して描画画像によるイメージデータを含むメッセージデータを送信し、ページング受信機１ｂでこのメッセージデータに修正を施してページング受信機１ａに返信する場合のページング受信機１ａ，１ｂそれぞれの処理動作内容を示すもので、まずその処理当初にページング受信機１ａにおいて図４（１）に示すような描画画像を含むメッセージデータを作成するものとする（ステップＡ１）。
【００２２】
図４（１）中、「田無駅」なる文字はキー入力部１６で、その他の地図図形はペン入力部１７でフリーハンドによりペン入力を行なったものとすると、メッセージデータはキーコードデータとイメージデータとの組合わせで構成されることとなり、作成されたメッセージデータは一旦ＲＡＭ１８に記憶される。
【００２３】
次いで、ページング受信機１ａでは、上記図１に示したように電話機２の送話器にスピーカ２６を当接した上で、呼出しをかけるページング受信機１ｂの呼出番号をキー入力部１６で入力し、ＲＡＭ１８に記憶したメッセージデータを指定してから送信を指示するキー操作を行なうことで、呼出番号及びメッセージデータが順次ＤＴＭＦ信号発生部１９によりＤＴＭＦ信号に変換されてスピーカ２６より、上記図１で説明した如く電話機２、電話回線網３、ページングサービス会社４及び無線基地局５を介してページング受信機１ｂまで送信される（ステップＡ２）。
【００２４】
ページング受信機１ｂでは、ＩＤ−ＲＯＭ１４に記憶されるフレームデータで表わされる時分割周期で間欠受信を行ない、自機に割当てられたアドレスデータの受信判断により自機の呼出しを待機するもので、上記ステップＡ２の送信処理により呼出しを受けると、まずその呼出しに続けて受信されるメッセージデータをＲＡＭ１８に記憶し（ステップＢ１）、続いて受信したメッセージデータを構成するコードデータからキャラクタジェネレータ２３で対応する文字のキャラクタパターンデータを読出させ、またイメージデータを展開して表示バッファ２４に記憶させ、カラー表示部３１で共に単色、例えば「黒」で表示させる（ステップＢ２）。
【００２５】
ページング受信機１ｂでは、次にこの受信したメッセージデータに対して修正を加えるべく、例えば「赤」のカラーコードをキー入力部１６により指定し（ステップＢ３）、その上でペン入力部１７を用いて図４（２）に示すようにカラー表示部３１上を筆記動作して修正を加えると、そのイメージデータに基づいた入力軌跡をカラー表示部３１上で上記指定したカラーコードによる色で表示させると共に、修正データとしてＲＡＭ１８に指定のカラーコードと共に記憶させる（ステップＢ４）。
【００２６】
次いで、ページング受信機１ｂで修正を終えたものとして、上記図１のページング受信機１ａと同様に電話機２の送話器にスピーカ２６を当接した上で、ページング受信機１ａの呼出番号をキー入力部１６で入力し、ＲＡＭ１８に記憶している修正を加えたメッセージデータを指定してから返信を指示する送信キーの操作を行なうことで、呼出番号や修正済みのメッセージデータが順次ＤＴＭＦ信号発生部１９によりＤＴＭＦ信号に変換されスピーカ２６より、電話機２、電話回線網３、ページングサービス会社４及び無線基地局５を介してページング受信機１ａまで返信される（ステップＢ５）。
【００２７】
ページング受信機１ａでは、上記メッセージデータの送信後、ＩＤ−ＲＯＭ１４に記憶されるフレームデータで表わされる時分割周期で間欠受信を行ない、自機に割当てられたアドレスデータの受信を判断することで自機の呼出しを待機するもので、上記ステップＢ５の送信処理により呼出しを受けると、まずその呼出しに続けて受信されるメッセージデータをＲＡＭ１８に記憶し（ステップＡ３）、続いて受信したメッセージデータを展開してカラー表示部３１で表示させる（ステップＡ４）。
【００２８】
この場合、メッセージデータ中の自らが送信した部分は上記図４（２）と同様に例えば「黒」で表示させ、加えて修正データに基づく部分はそのカラーコードに対応して例えば「赤」で区分表示させる。
【００２９】
図４（３）はこのときのページング受信機１ａのカラー表示部３１で表示される内容を例示したもので、上記図４（１）で示したものと同一部分が「黒」で、新たにページング受信機１ｂでの修正処理によって書き加えられた部分が「赤」で区分表示されている状態を示している。
【００３０】
このように、返答者側で修正した内容を返答者の指定する任意の色により始めの内容と部分的に色を変えて表示することにより、修正を加えた位置を一目で確認することができる。
【００３１】
なお、上記図３及び図４の第１の動作例ではイメージデータによる修正処理について示したが、コードデータに基づく修正処理についても適用することができる。次に第２の動作例について図５及び図６を用いて説明する。
【００３２】
図５は発呼者側であるページング受信機１ａから返答者側のページング受信機１ｂに対してコードデータ列によるメッセージデータを送信し、ページング受信機１ｂでこのメッセージデータに修正を施してページング受信機１ａに返信する場合のページング受信機１ａ，１ｂそれぞれの処理動作内容を示すもので、まずその処理当初にページング受信機１ａにおいて図６（１）に示すようなコードデータ列によるメッセージデータを作成するものとする（ステップＡ１１）。
【００３３】
図６（１）はすべてキー入力部１６でキー操作によって作成したメッセージデータであり、キーコードのデータ列により構成されることとなるもので、作成されたメッセージデータは一旦メッセージＮｏ．が付加されてＲＡＭ１８に記憶される。
【００３４】
次いで、ページング受信機１ａでは、上記図１に示したように電話機２の送話器にスピーカ２６を当接した上で、呼出しをかけるページング受信機１ｂの呼出番号をキー入力部１６で入力し、ＲＡＭ１８に記憶したメッセージデータを指定してから送信を指示するキー操作を行なうことで、呼出番号及びメッセージＮｏ．が添付されたメッセージデータを順次ＤＴＭＦ信号発生部１９によりＤＴＭＦ信号に変換させてスピーカ２６より、上記図１で説明した如く電話機２、電話回線網３、ページングサービス会社４及び無線基地局５を介してページング受信機１ｂに送信させる（ステップＡ１２）。
【００３５】
ページング受信機１ｂでは、ＩＤ−ＲＯＭ１４に記憶されるフレームデータで表わされる時分割周期で間欠受信を行ない、自機に割当てられたアドレスデータの受信判断により自機の呼出しを待機するもので、上記ステップＡ１２の送信処理により呼出しを受けると、まずその呼出しに続けて受信されるメッセージデータをＲＡＭ１８に記憶し（ステップＢ１１）、続いて受信したメッセージデータを構成するコードデータからキャラクタジェネレータ２３で対応する文字のキャラクタパターンデータを読出させることでメッセージデータを随時展開して表示バッファ２４に記憶させ、カラー表示部３１で単色、例えば「黒」で表示させる（ステップＢ１２）。
【００３６】
ページング受信機１ｂでは、次にこの受信したメッセージデータに対して修正を加えるべくキー入力部１６のキー操作によりなんらかの修正を加えるもので（ステップＢ１３）、ここでは図６（２）に示すように上記図６（１）中の数値「２００万」を「２５０万」に書換えると共に、「確認をお願いします」の文字列を「以上の数字で再検討して下さい」と書換えるものとする。
【００３７】
このような修正の処理後、実際にメッセージデータの内容の修正を行なった場合にのみこれを判断してＲＡＭ１８に記憶している修正済みのメッセージデータに予め定められた返信用のプロトコルを付加し（ステップＢ１４，Ｂ１５）、それからページング受信機１ｂで修正を終えたものとして、上記図１のページング受信機１ａと同様に電話機２の送話器にスピーカ２６を当接した上で、ページング受信機１ａの呼出番号をキー入力部１６で入力し、ＲＡＭ１８に記憶している修正を加えたメッセージデータを指定してから返信を指示する送信キーの操作を行なうことで、呼出番号や修正済みのメッセージデータが順次ＤＴＭＦ信号発生部１９によりＤＴＭＦ信号に変換されスピーカ２６より、電話機２、電話回線網３、ページングサービス会社４及び無線基地局５を介してページング受信機１ａまで返信される（ステップＢ１６）。
【００３８】
ページング受信機１ａでは、上記メッセージデータの送信後、ＩＤ−ＲＯＭ１４に記憶されるフレームデータで表わされる時分割周期で間欠受信を行ない、自機に割当てられたアドレスデータの受信を判断することで自機の呼出しを待機するもので、上記ステップＢ１６の送信処理により呼出しを受けると、まずその呼出しに続けて受信されるメッセージデータをＲＡＭ１８に記憶し（ステップＡ１３）、続いて受信したメッセージデータ中に返信プロトコルがあるか否か、すなわち受信したメッセージデータが自機が発したメッセージデータに対する返答であるか否かを判断する（ステップＡ１４）。
【００３９】
受信したメッセージデータ中に返信プロトコルが付加されていなかった場合には、そのメッセージデータは単なる通常のメッセージデータであるか、あるいは自機が発したメッセージデータに対する返答であっても内容になんら修正が加えられていないこととなるので、そのままその受信したメッセージデータを構成するコードデータからキャラクタジェネレータ２３で対応する文字のキャラクタパターンデータを読出させることでメッセージデータを随時展開して表示バッファ２４に記憶させ、カラー表示部３１で単色、例えば「黒」で表示させる（ステップＡ１７）。
【００４０】
また、上記ステップＡ１４で受信したメッセージデータ中に返信プロトコルが付加されていたと判断した場合には、そのメッセージデータは自機が発したメッセージデータに対する返答であって、内容になんらかの修正が加えられていることとなるので、ＲＡＭ１８に記憶しているメッセージＮｏ．が同一である送信したメッセージデータと受信したメッセージデータの内容を比較照合し（ステップＡ１５）、受信したメッセージデータ中の修正が加えられている元のメッセージデータとは異なる部分を他の部分とは異なる色、例えば「赤」で区分表示させる（ステップＡ１６）。
【００４１】
図６（３）はこのときのページング受信機１ａのカラー表示部３１で表示される内容を例示したもので、上記図６（１）で示したものと同一部分が「黒」で、新たにページング受信機１ｂでの修正処理によって変更があった部分が「赤」で区分表示されている状態を示している。
【００４２】
このように、返答者側で修正した内容部分のみ、始めの内容と色を変えて表示することにより、返答者が修正を加えた位置を一目で確認することができる。
また、返答者側は、単に修正したデータを返信するだけでいいので、返答者側の処理が簡略になる。
【００４３】
なお、上記図５及び図６の第２の動作例ではコードデータによる修正処理について説明したが、例えば図４に示すようなイメージデータによる修正処理についても適用することができる。
【００４４】
なお、上記図３及び図４の第１の動作例と図５及び図６の第２の動作例では、共に返答者側であるページング受信機１ｂが受信したメッセージデータに修正処理を施したものをそのまま発呼者側のページング受信機１ａに返信するついて示したが、次に修正内容のみを返信する場合の修復処理について第３の動作例として図７及び図８を用いて説明する。
【００４５】
図７は発呼者側であるページング受信機１ａから返答者側のページング受信機１ｂに対してコードデータ列によるメッセージデータを送信し、ページング受信機１ｂでこのメッセージデータに修正を施してページング受信機１ａに返信する場合のページング受信機１ａ，１ｂそれぞれの処理動作内容を示すもので、まずその処理当初にページング受信機１ａにおいて図８（１）に示すようなコードデータ列によるメッセージデータを作成するものとする（ステップＡ２１）。
【００４６】
図８（１）はすべてキー入力部１６でキー操作によって作成したメッセージデータであり、キーコードのデータ列により構成されることとなるもので、作成されたメッセージデータは一旦メッセージＮｏ．が付加されてＲＡＭ１８に記憶される。
【００４７】
次いで、ページング受信機１ａでは、上記図１に示したように電話機２の送話器にスピーカ２６を当接した上で、呼出しをかけるページング受信機１ｂの呼出番号をキー入力部１６で入力し、ＲＡＭ１８に記憶したメッセージデータを指定してから送信を指示するキー操作を行なうことで、呼出番号及びメッセージＮｏ．が添付されたメッセージデータを順次ＤＴＭＦ信号発生部１９によりＤＴＭＦ信号に変換させてスピーカ２６より、上記図１で説明した如く電話機２、電話回線網３、ページングサービス会社４及び無線基地局５を介してページング受信機１ｂに送信させる（ステップＡ２２）。
【００４８】
ページング受信機１ｂでは、ＩＤ−ＲＯＭ１４に記憶されるフレームデータで表わされる時分割周期で間欠受信を行ない、自機に割当てられたアドレスデータの受信判断により自機の呼出しを待機するもので、上記ステップＡ２２の送信処理により呼出しを受けると、まずその呼出しに続けて受信されるメッセージデータをＲＡＭ１８に記憶し（ステップＢ２１）、続いて受信したメッセージデータを構成するコードデータからキャラクタジェネレータ２３で対応する文字のキャラクタパターンデータを読出させることでメッセージデータを随時展開して表示バッファ２４に記憶させ、カラー表示部３１で単色、例えば「黒」で表示させる（ステップＢ２２）。
【００４９】
ページング受信機１ｂでは、次にこの受信したメッセージデータに対して修正を加えるべくペン入力部１７の筆記操作によりなんらかの修正を加えるべくペン入力を待機するもので（ステップＢ２３）、ここでは図８（２）に示すように上記図８（１）中の数値「２００万」部分に抹消線を付加してその直上部に「２５０万」の文字を書き加えると共に「再検討」の文字を書き加える修正を施すものとする（ステップＢ２４）。
【００５０】
このような修正処理により書き加えられたイメージデータによる修正データは、受信したコードデータによるメッセージデータとは別に、予め定められたカラー返信用のプロトコル及び受信したメッセージＮｏ．を付加した後にＲＡＭ１８に記憶されるものであるが、カラー表示部３１では修正データと元のメッセージデータとを合成して表示させる（ステップＢ２５）。
【００５１】
その後にページング受信機１ｂでは、修正を終えた状態で上記図１のページング受信機１ａと同様にスピーカ２６を電話機２の送話器に当接した上で、ページング受信機１ａの呼出番号をキー入力部１６で入力し、ＲＡＭ１８に記憶している修正データのみを指定してから返信を指示する送信キーの操作を行なうことで、呼出番号やカラー返信用のプロトコル及びメッセージＮｏ．を付加した図８（３）に示す修正データのみを順次ＤＴＭＦ信号発生部１９によりＤＴＭＦ信号に変換してスピーカ２６より、電話機２、電話回線網３、ページングサービス会社４及び無線基地局５を介してページング受信機１ａへ返信させる（ステップＢ２６）。
【００５２】
ページング受信機１ａでは、上記メッセージデータの送信後、ＩＤ−ＲＯＭ１４に記憶されるフレームデータで表わされる時分割周期で間欠受信を行ない、自機に割当てられたアドレスデータの受信を判断することで自機の呼出しを待機するもので、上記ステップＢ２６の送信処理により呼出しを受けると、まずその呼出しに続けて受信されるメッセージデータをＲＡＭ１８に記憶し（ステップＡ２３）、続いて受信したメッセージデータ中にカラー返信プロトコルがあるか否か、すなわち受信したメッセージデータが自機が発したメッセージデータに対する返答であるか否かを判断する（ステップＡ２４）。
【００５３】
受信したメッセージデータ中にカラー返信プロトコルが付加されていなかった場合には、そのメッセージデータは単なる通常のメッセージデータであることとなるので、そのままその受信したメッセージデータを構成するコードデータからキャラクタジェネレータ２３で対応する文字のキャラクタパターンデータを読出させることでメッセージデータを随時展開して表示バッファ２４に記憶させ、カラー表示部３１で単色、例えば「黒」で表示させる（ステップＡ２８）。
【００５４】
また、上記ステップＡ２４で受信したメッセージデータ中にカラー返信プロトコルが付加されていたと判断した場合には、そのメッセージデータは自機が発したメッセージデータに対する返答であって、内容になんらかの修正が加えられていることとなるので、ＲＡＭ１８に記憶しているメッセージＮｏ．が同一である送信したメッセージデータを検索し（ステップＡ２５）、この検索したメッセージデータを構成するコードデータからキャラクタジェネレータ２３で対応する文字のキャラクタパターンデータを読出させることでメッセージデータを随時単色、例えば「黒」のパターンとして展開して表示バッファ２４に記憶させると共に、受信した修正データのイメージデータをメッセージデータとは異なる色、例えば「赤」のパターンとして展開して表示バッファ２４に合成して記憶させ（ステップＡ２６）、次いでカラー表示部３１でこの展開したメッセージデータと修正データとの合成画像を表示させる（ステップＡ２７）。
【００５５】
図８（４）はこのときのページング受信機１ａのカラー表示部３１で表示される内容を例示したもので、上記図８（１）で示したものと同一部分が「黒」で、新たにページング受信機１ｂでの修正処理によって書き加えられたイメージデータによる部分が「赤」で色分けして表示されている状態を示している。
【００５６】
このように、返答者側で修正した内容部分のみ、始めの内容と色を変えて表示することにより、返答者が修正を加えた位置を一目で確認することができると共に、ページング受信機１ｂからページング受信機１ａに返信するデータには当初のメッセージデータは含まず、修正部分のイメージデータのみであるので、返信に要するデータ量を大幅に削減することができる。
【００５７】
なお、上記図７及び図８の第３の動作例ではコードデータをイメージデータにより修正する場合について説明したが、例えば図４に示すようにイメージデータをイメージデータにより修正する場合についても適用することができる。
【００５８】
また、上記実施の形態はダイヤル機能を有するページング受信機を用いた無線ページングシステムに適用した場合を例示したが、本発明はこれに限るものではなく、例えばＦＭラジオ電波にアドレスデータとメッセージ情報とを多重化して放送するＦＭ多重放送を用いたページングシステム等でも適用可能であり、その他本発明の要旨を逸脱しない範囲内で種々変形可能である。
【００５９】
【発明の効果】
請求項１記載の発明によれば、返信されてきたメッセージデータ中の修正部分は他の部分とは異なる表示態様で表示されるため、修正部分を一目で確認することができる。
【図面の簡単な説明】
【図１】本発明の実施の一形態に係るシステム全体の構成を示す図。
【図２】同実施の形態に係るページング受信機内の回路構成を示すブロック図。
【図３】同実施の形態に係る第１の動作例の処理内容を示すフローチャート。
【図４】同実施の形態に係る第１の動作例によるメッセージ表示状態を示す図。
【図５】同実施の形態に係る第２の動作例の処理内容を示すフローチャート。
【図６】同実施の形態に係る第２の動作例によるメッセージ表示状態を示す図。
【図７】同実施の形態に係る第３の動作例の処理内容を示すフローチャート。
【図８】同実施の形態に係る第３の動作例によるメッセージ表示状態を示す図。
【符号の説明】
１，１ａ，１ｂ…ページング受信機
２…電話機
３…電話回線網
４…ページングサービス会社
５…無線基地局
１１…アンテナ
１２…受信部
１３…デコ―ダ部
１４…ＩＤ−ＲＯＭ
１５…制御部（ＣＰＵ）
１６…キー入力部
１７…ペン入力部
１８…ＲＡＭ
１９…ＤＴＭＦ信号発生部
２０…ダイヤラバッファ
２１…鳴音信号発生部
２２…点滅パターン信号発生部
２３…キャラクタジェネレータ（ＣＧ）
２４…表示バッファ
２５，２６，２９…アンプ
２６…スピーカ
２８…スピーカ
３０…ＬＥＤ
３１…カラー表示部
【図１】
0003785511.tif 000002
【図２】
0003785511.tif 000003
【図３】
0003785511.tif 000004
【図４】
0003785511.tif 000005
【図５】
0003785511.tif 000006
【図６】
0003785511.tif 000007
【図７】
0003785511.tif 000008
【図８】
0003785511.tif 000009